(57)【要約】【課題】収容室の環境パラメータをより簡易な設備によって調整することにより、設備コストと制御コストを抑制することができる人工気象機を提供する。【解決手段】本発明に係る人工気象機は、２×２の行列状に配置された収容室を備え、第１収容室と第２収容室を第１照明器により照らし、第３収容室と第４収容室を第２照明器により照らす。【選択図】図１
2019004758.tif 000002
【特許請求の範囲】
【請求項１】
植物体を収容する収容室を複数有する人工気象機であって、
前記植物体を収容する第１、第２、第３、および第４収容室を備え、
前記第１、第２、第３、および第４収容室は、２行２列の行列状に配置されており、
前記人工気象機はさらに、
前記第１収容室と前記第２収容室をまたいで延伸する第１照明器、
前記第３収容室と前記第４収容室をまたいで延伸する第２照明器、
を備え、
前記第１照明器は、前記第１収容室と前記第２収容室を同時に照らし、
前記第２照明器は、前記第３収容室と前記第４収容室を同時に照らす
ことを特徴とする人工気象機。
【請求項２】
前記人工気象機はさらに、
前記第１収容室の気温を調整する第１気温調整器、
前記第２収容室の気温を調整する第２気温調整器、
前記第３収容室の気温を調整する第３気温調整器、
前記第４収容室の気温を調整する第４気温調整器、
を備え、
前記第１気温調整器と前記第３気温調整器は同じ気温調整動作を実施し、
前記第２気温調整器と前記第４気温調整器は同じ気温調整動作を実施する
ことを特徴とする請求項１記載の人工気象機。
【請求項３】
前記第１収容室と前記第２収容室を仕切る隔壁は断熱材を用いて形成されており、
前記第３収容室と前記第４収容室を仕切る隔壁は断熱材を用いて形成されている
ことを特徴とする請求項２記載の人工気象機。
【請求項４】
前記第１収容室と前記第３収容室を仕切る隔壁は遮光材を用いて形成されており、
前記第２収容室と前記第４収容室を仕切る隔壁は遮光材を用いて形成されている
ことを特徴とする請求項２記載の人工気象機。
【請求項５】
前記人工気象機はさらに、
前記第１収容室と前記第３収容室をまたいで延伸する第１循環水パイプ、
前記第２収容室と前記第４収容室をまたいで延伸する第２循環水パイプ、
を備え、
前記第１循環水パイプは、その内部に流体を通過させることにより、前記第１収容室における培地の温度と前記第３収容室における培地の温度を同時に調整し、
前記第２循環水パイプは、その内部に流体を通過させることにより、前記第２収容室における培地の温度と前記第４収容室における培地の温度を同時に調整する
ことを特徴とする請求項１記載の人工気象機。
【請求項６】
前記人工気象機はさらに、
前記第１収容室と前記第３収容室をまたいで延伸する第１潅水パイプ、
前記第２収容室と前記第４収容室をまたいで延伸する第２潅水パイプ、
を備え、
前記第１潅水パイプは、前記第１収容室と前記第３収容室に対して同時に水を供給し、
前記第２潅水パイプは、前記第２収容室と前記第４収容室に対して同時に水を供給する
ことを特徴とする請求項１記載の人工気象機。
【請求項７】
前記人工気象機はさらに、前記第１、第２、第３、および第４収容室の物理状態を個別に監視するセンサを備える
ことを特徴とする請求項１記載の人工気象機。
【請求項８】
前記人工気象機は、各前記収容室の間を仕切る第１、第２、第３、第４、第５、および第６壁部材を備え、
各前記壁部材は、凹部と凸部を含む櫛型の形状を有しており、
各前記壁部材は、前記凹部と前記凸部が互いに嵌合することにより、前記第１、第２、および第３壁部材が、前記第４、第５、および第６壁部材に対して直交する方向に組み立てられている
ことを特徴とする請求項１記載の人工気象機。
【請求項９】
前記第５壁部材は、前記第１収容室と前記第２収容室を仕切る隔壁を形成するとともに前記第３収容室と前記第４収容室を仕切る隔壁を形成し、
前記第５壁部材は、断熱材を用いて形成されている
ことを特徴とする請求項８記載の人工気象機。
【請求項１０】
前記断熱材は、第１断熱層と第２断熱層の間に空気層を挟んだ構造を有する
ことを特徴とする請求項９記載の人工気象機。
【請求項１１】
前記第１照明器と前記第２照明器はそれぞれ、照明によって生じる熱を遮断する遮熱シートと照明光を遮断する遮光シートを備える
ことを特徴とする請求項１記載の人工気象機。
【請求項１２】
前記人工気象機は、前記第１、第２、第３、および第４収容室を含むｎ×ｍ個（ｎ≧２、ｍ≧２）の行列状に配置された前記収容室を備え、
前記第１照明器は、前記第１収容室から前記第２収容室に向かう第１線に沿って延伸するとともに、前記第１線に沿って配置されている各前記収容室を同時に照らし、
前記第２照明器は、前記第３収容室から前記第４収容室に向かう第２線に沿って延伸するとともに、前記第２線に沿って配置されている各前記収容室を同時に照らす
ことを特徴とする請求項１記載の人工気象機。
【発明の詳細な説明】
【技術分野】
【０００１】
本発明は、人工気象機に関する。
【背景技術】
【０００２】
人工気象機は、植物体を収容する収容室を備え、収容した植物体を生育するのに適した物理的環境を人工的に作出する設備を備えている。人工気象機が植物体を生育するために調整する環境パラメータとしては、（ａ）収容室に対する照明、（ｂ）収容室の気温、（ｃ）収容室内の培地の温度、（ｄ）収容室に対する潅水、などが挙げられる。
【０００３】
下記特許文献１は、『照明効率を高めて省電力化、低コスト化を図れる恒温装置を提供する。』ことを課題として、『試料を収容可能な複数の小室４を多段に有し、各小室４を個別に独立した温度設定が可能な恒温装置１において、前記各小室４には、該室内を照明し室温に影響を与えない発光体が、設置されており、この発光体として、冷陰極蛍光ランプ１７や発光ダイオード３２としたり、発光体から得られる照明光として、小室４の水平方向で変化するように構成したりした。』という技術を開示している（要約参照）。
【０００４】
下記特許文献２は、『小型化が図れて、製作コストや運用コストなどを低廉化でき、機能性や効率性を向上できる培養・育成装置を提供する。』ことを課題として、『植物体５を載置可能な複数の棚板６を多段に配置して収容した密閉室３と、この密閉室３の室内環境を調節する調節器８とを有した培養・育成装置１において、各棚板６に、植物体５を照明し室温に影響を与えない冷陰極蛍光ランプ１２を設置し、また、密閉室３は、用具を用いることなく室内の全域にほぼ人手が届く大きさに形成するとともに、該密閉室３を形成した一側面を、開閉可能な開閉扉２Ａ，２Ｂとして構成しており、この開閉扉２Ａ，２Ｂを開放することにより、密閉室内に入ることなく各段の棚板６上に対する所定の作業を可能にした。』という技術を開示している（要約参照）。
【先行技術文献】
【特許文献】
【０００５】
【特許文献１】特開２００６−０６１１２６号公報
【特許文献２】特開２００６−０７５０８８号公報
【発明の概要】
【発明が解決しようとする課題】
【０００６】
上記特許文献１〜２記載の技術は、各収容室の環境パラメータを個別に制御するので、そのための設備を収容室ごとに設ける必要がある。また収容室ごとに環境パラメータを制御するので、制御処理もそれだけ複雑になる。したがって設備の観点からも制御処理の観点からも、コストをより抑制する余地があると考えられる。
【０００７】
本発明は、上記のような課題に鑑みてなされたものであり、収容室の環境パラメータをより簡易な設備によって調整することにより、設備コストと制御コストを抑制することができる人工気象機を提供するものである。
【課題を解決するための手段】
【０００８】
本発明に係る人工気象機は、２×２の行列状に配置された収容室を備え、第１収容室と第２収容室を第１照明器により照らし、第３収容室と第４収容室を第２照明器により照らす。
【発明の効果】
【０００９】
本発明に係る人工気象機によれば、収容室の環境パラメータを調整するための設備コストと制御コストを抑制しながら、収容室ごとに個別の物理的環境を制御することができる。
【図面の簡単な説明】
【００１０】
【図１】実施形態１に係る人工気象機１００の構成を模式的に示す上面図である。
【図２】実施形態２に係る人工気象機１００の構成を模式的に示す上面図である。
【図３】実施形態３に係る人工気象機１００の構成を模式的に示す上面図である。
【図４】照明器／循環水パイプ／潅水パイプを組み合わせて用いる構成例である。
【図５】照明器／循環水パイプ／潅水パイプを組み合わせて用いる別構成例である。
【図６】人工気象機１００の各収容室を仕切る隔壁を形成する壁部材の構成例である。
【図７】実施形態６に係る人工気象機１００の構成を模式的に示す上面図である。
【図８】実施形態７に係る人工気象機１００の構成を模式的に示す上面図である。
【発明を実施するための形態】
【００１１】
＜実施の形態１＞
図１は、本発明の実施形態１に係る人工気象機１００の構成を模式的に示す上面図である。人工気象機１００は、植物体を収容する収容室を複数備える。図１においては、第１収容室１１１、第２収容室１１２、第３収容室１１３、第４収容室１１４を備える構成例を示した。
【００１２】
人工気象機１００はさらに、第１照明器１２１と第２照明器１２２を備える。第１照明器１２１は、第１収容室１１１と第２収容室１１２をまたいで延伸し、第１収容室１１１と第２収容室１１２を同時に照らすことができる。第２照明器１２２は、第３収容室１１３と第４収容室１１４をまたいで延伸し、第３収容室１１３と第４収容室１１４を同時に照らすことができる。
【００１３】
制御部１６１は、第１照明器１２１が第１収容室１１１と第２収容室１１２を同時に照らし、第２照明器１２２が第３収容室１１３と第４収容室１１４を同時に照らすように、これら照明器を制御する。
【００１４】
人工気象機１００はさらに、第１気温調整器１３１、第２気温調整器１３２、第３気温調整器１３３、第４気温調整器１３４を備える。第１気温調整器１３１は第１収容室１１１内の気温を調整し、第２気温調整器１３２は第２収容室１１２内の気温を調整し、第３気温調整器１３３は第３収容室１１３内の気温を調整し、第４気温調整器１３４は第４収容室１１４内の気温を調整する。
【００１５】
制御部１６２は、第１気温調整器１３１と第３気温調整器１３３を同時に制御して同じ気温調整動作を実施させ、第２気温調整器１３２と第４気温調整器１３４を同時に制御して同じ気温調整動作を実施させる。例えば第１気温調整器１３１と第３気温調整器１３３は第１収容室１１１内の気温と第３収容室１１３内の気温を２０℃に調整し、第２気温調整器１３２と第４気温調整器１３４は第２収容室１１２内の気温と第４収容室１１４内の気温を２５℃に調整する、などの動作例が考えられる。
【００１６】
図１に示す構成によれば、例えば以下のような動作を実施することができる。第１照明器１２１は第１収容室１１１と第２収容室１１２に対して光量Ｉ１を提供し、第２照明器１２２は第３収容室１１３と第４収容室１１４に対して光量Ｉ２を提供する。第１気温調整器１３１と第３気温調整器１３３は第１収容室１１１内の気温と第３収容室１１３内の気温を２０℃に調整し、第２気温調整器１３２と第４気温調整器１３４は第２収容室１１２内の気温と第４収容室１１４内の気温を２５℃に調整する。これにより、各収容室の環境パラメータは以下のように調整される。
【００１７】
第１収容室１１１：光量Ｉ１、気温２０℃
第２収容室１１２：光量Ｉ１、気温２５℃
第３収容室１１３：光量Ｉ２、気温２０℃
第４収容室１１４：光量Ｉ２、気温２５℃
【００１８】
すなわち、制御部１６１と制御部１６２は、それぞれ２つの収容室に対して同じ動作を実施するが、これらの組み合わせにより、環境パラメータの組み合わせを４通り提供することができる。したがって、環境パラメータを調整するための設備を２つの収容室間で共有して設備コストと制御コストを抑制しつつ、収容室ごとに個別の物理的環境を提供することができる。
【００１９】
収容室内の気温をより確実に制御するためには、第１収容室１１１と第２収容室１１２を仕切る隔壁は断熱材を用いて形成することが望ましく、第３収容室１１３と第４収容室１１４を仕切る隔壁も断熱材を用いて形成することが望ましい。これら収容室間で熱が伝搬することを抑制できるからである。
【００２０】
収容室内の光量をより確実に制御するためには、第１収容室１１１と第３収容室１１３を仕切る隔壁は遮光材を用いて形成することが望ましく、第２収容室１１２と第４収容室１１４を仕切る隔壁は遮光材を用いて形成することが望ましい。これら収容室間で光が透過することを抑制できるからである。
【００２１】
第１照明器１２１と第２照明器１２２は、例えばＬＥＤ（Ｌｉｇｈｔ  Ｅｍｉｔｔｉｎｇ  Ｄｉｏｄｅ）照明によって構成することができるが、これに限らない。第１気温調整器１３１と第３気温調整器１３３のペア、および第２気温調整器１３２と第４気温調整器１３４のペアは、例えば第１収容室１１１と第３収容室１１３を貫通する第１送風管に対して温風（または冷風）を提供するとともに、第２収容室１１２と第４収容室１１４を貫通する第２送風管に対して温風（または冷風）を提供することにより構成することができるが、これに限らない。
【００２２】
＜実施の形態２＞
図２は、本発明の実施形態２に係る人工気象機１００の構成を模式的に示す上面図である。本実施形態２に係る人工気象機１００は、実施形態１で説明した第１気温調整器１３１〜第４気温調整器１３４に代えて、またはこれに加えて、第１循環水パイプ１４１と第２循環水パイプ１４２を備える。
【００２３】
第１循環水パイプ１４１は、第１収容室１１１の培地の内部に埋設されるとともに、第３収容室１１３の培地の内部に埋設されている。第１循環水パイプ１４１は、第１収容室１１１と第３収容室１１３をまたいで延伸している。第１循環水パイプ１４１は、その内部に温水または冷水を循環させることにより、第１収容室１１１の培地の地温を調整すると同時に第３収容室１１３の培地の地温を調整する。
【００２４】
第２循環水パイプ１４２は、第２収容室１１２の培地の内部に埋設されるとともに、第４収容室１１４の培地の内部に埋設されている。第２循環水パイプ１４２は、第２収容室１１２と第４収容室１１４をまたいで延伸している。第２循環水パイプ１４２は、その内部に温水または冷水を循環させることにより、第２収容室１１２の培地の地温を調整すると同時に第４収容室１１４の培地の地温を調整する。
【００２５】
制御部１６３は、第１循環水バルブ１４３を開閉することにより第１循環水パイプ１４１を流れる水量を調整し、第２循環水バルブ１４４を開閉することにより第２循環水パイプ１４２を流れる水量を調整する。制御部１６３はさらに、各循環水パイプの水温を調整してもよいし、別の制御部（図示せず）が水温を調整してもよい。
【００２６】
本実施形態２によれば、照明器と循環水パイプを２つの収容室間で共有しつつ、各収容室に対して提供する照明と各収容室の培地温度の組み合わせを４通り提供することができる。したがって実施形態１と同様に、設備コストと制御コストを抑制しつつ収容室ごとに個別の物理的環境を提供することができる。
【００２７】
＜実施の形態３＞
図３は、本発明の実施形態３に係る人工気象機１００の構成を模式的に示す上面図である。本実施形態３に係る人工気象機１００は、実施形態１で説明した第１気温調整器１３１〜第４気温調整器１３４に代えて、またはこれに加えて、第１潅水パイプ１５１と第２潅水パイプ１５２を備える。
【００２８】
第１潅水パイプ１５１は、第１収容室１１１と第３収容室１１３をまたいで延伸している。第１潅水パイプ１５１は、その内部に水を通過させることにより、第１収容室１１１に対して潅水すると同時に第３収容室１１３に対して潅水する。このとき栄養分を溶かした水を潅水してもよい。
【００２９】
第２潅水パイプ１５２は、第２収容室１１２と第４収容室１１４をまたいで延伸している。第２潅水パイプ１５２は、その内部に水を通過させることにより、第２収容室１１２に対して潅水すると同時に第４収容室１１４に対して潅水する。このとき栄養分を溶かした水を潅水してもよい。
【００３０】
制御部１６４は、第１潅水バルブ１５３を開閉することにより第１潅水パイプ１５１を流れる水量を調整し、第２潅水バルブ１５４を開閉することにより第２潅水パイプ１５２を流れる水量を調整する。制御部１６４はさらに、各潅水パイプに対して提供する栄養分を調整してもよいし、別の制御部（図示せず）が栄養分を調整してもよい。
【００３１】
本実施形態３によれば、照明器と潅水パイプを２つの収容室間で共有しつつ、各収容室に対して提供する照明と潅水量の組み合わせを４通り提供することができる。したがって実施形態１と同様に、設備コストと制御コストを抑制しつつ収容室ごとに個別の物理的環境を提供することができる。
【００３２】
＜実施の形態４＞
実施形態１〜３で説明した照明器／気温調整器／循環水パイプ／潅水パイプは、適宜組み合わせて用いることができる。本発明の実施形態４では、いくつかの組み合わせについて例示する。
【００３３】
図４は、照明器／循環水パイプ／潅水パイプを組み合わせて用いる構成例である。図４において、第１収容室１１１と第２収容室１１２は第１照明器１２１を共有し、第３収容室１１３と第４収容室１１４は第２照明器１２２を共有している。第１収容室１１１と第３収容室１１３は第１循環水パイプ１４１と第１潅水パイプ１５１を共有し、第２収容室１１２と第４収容室１１４は第２循環水パイプ１４２と第２潅水パイプ１５２を共有している。これにより例えば以下のような組み合わせを実現できる。
【００３４】
第１収容室１１１：光量Ｉ１、地温２０℃、潅水量Ｗ１
第２収容室１１２：光量Ｉ１、地温２５℃、潅水量Ｗ２
第３収容室１１３：光量Ｉ２、地温２０℃、潅水量Ｗ１
第４収容室１１４：光量Ｉ２、地温２５℃、潅水量Ｗ２
【００３５】
図４の構成は、列方向（図面の左右方向）において照明を共通化し、行方向（図面の上下方向）において地温と潅水を共通化したということができる。行方向と列方向それぞれにおいていずれの環境パラメータを共通化するかについては、例えば実験したい環境に応じて定めることができる。例えば亜熱帯環境を模擬する場合、光量と気温は連動して変化すると考えられるので、列方向において照明器と気温調整器を共通化することが考えられる。
【００３６】
図５は、照明器／循環水パイプ／潅水パイプを組み合わせて用いる別構成例である。図３と図４において、第１潅水パイプ１５１は第１収容室１１１と第３収容室１１３をまたいで延伸し、第２潅水パイプ１５２は第２収容室１１２と第４収容室１１４をまたいで延伸しているが、延伸方向を図５のようにしてもよい。すなわち第１潅水パイプ１５１は第１収容室１１１と第２収容室１１２をまたいで延伸し、第２潅水パイプ１５２は第３収容室１１３と第４収容室１１４をまたいで延伸する。これにより例えば以下のような組み合わせを実現できる。
【００３７】
第１収容室１１１：光量Ｉ１、地温２０℃、潅水量Ｗ１
第２収容室１１２：光量Ｉ１、地温２５℃、潅水量Ｗ１
第３収容室１１３：光量Ｉ２、地温２０℃、潅水量Ｗ２
第４収容室１１４：光量Ｉ２、地温２５℃、潅水量Ｗ２
【００３８】
照明器／気温調整器／循環水パイプ／潅水パイプそれぞれについて、図４と図５が例示するように、共有する方向を組み合わせることができる。例えば図４と図５が例示した以外にも、第１気温調整器１３１と第２気温調整器１３２を共通制御し、第３気温調整器１３３と第４気温調整器１３４を共通制御することができる。ただし収容室ごとに個別の物理的環境を提供するためには、環境パラメータの組み合わせを４通り以上提供できるように組み合わせる必要がある。
【００３９】
＜実施の形態５＞
図６は、人工気象機１００の各収容室を仕切る隔壁を形成する壁部材の構成例である。図６に示すような凹部と凸部を有する櫛形の壁部材を６枚準備し、凹部と凸部が互いに嵌合するように組み立てることにより、第１収容室１１１〜第４収容室１１４を簡易的に形成することができる。
【００４０】
壁部材のうちいずれかについては、断熱材を用いて形成することもできる。例えば図６の斜線によって示す壁部材（仮に第５壁部材と呼ぶ）を断熱材によって形成することにより、第１収容室１１１と第２収容室１１２の間の熱伝搬を抑制するとともに、第３収容室１１３と第４収容室１１４の間の熱伝搬を抑制することができる。これにより、例えば図１に示すように第１収容室１１１と第３収容室１１３に対して同じ気温調整を実施し、第２収容室１１２と第４収容室１１４に対して同じ気温調整を実施する際に、これら収容室間の熱伝搬を抑制し、気温制御の精度を高めることができる。
【００４１】
＜実施の形態６＞
図７は、本発明の実施形態６に係る人工気象機１００の構成を模式的に示す上面図である。人工気象機１００は、各収容室が収容している植物体の物理状態を監視するセンサを備えてもよい。図７においては、植物体を撮影するカメラ１７１〜１７４をそれぞれ第１収容室１１１〜第４収容室１１４に配置した。その他の物理的パラメータ（例えば収容室内の気温、培地の地温など）を監視するセンサを備えることもできる。
【００４２】
＜実施の形態７＞
図８は、本発明の実施形態７に係る人工気象機１００の構成を模式的に示す上面図である。本実施形態７に係る人工気象機１００は、３行２列の行列状に配置された収容室を備える。第１収容室１１１〜第４収容室１１４については実施形態１と同様である。第５収容室１１５は第３収容室１１３に隣接して配置され、第６収容室１１６は第４収容室１１４に隣接して配置されている。図６に示すように、収容室の行方向の個数と列方向の個数は同じでなくともよい。
【００４３】
人工気象機１００はさらに、第３照明器１２３を備える。第３照明器１２３は、第５収容室１１５と第６収容室１１６をまたいで延伸し、第５収容室１１５と第６収容室１１６を同時に照らすことができる。制御部１６１は、第５収容室１１５と第６収容室１１６を同時に照らすように、第３照明器１２３を制御する。
【００４４】
人工気象機１００はさらに、第５気温調整器１３５と第６気温調整器１３６を備える。第５気温調整器１３５は第５収容室１１５内の気温を調整し、第６気温調整器１３６は第６収容室１１６の気温を調整する。
【００４５】
制御部１６２は、第１気温調整器１３１／第３気温調整器１３３／第５気温調整器１３５を同時に制御して同じ気温調整動作を実施させ、第２気温調整器１３２／第４気温調整器１３４／第６気温調整器１３６を同時に制御して同じ気温調整動作を実施させる。例えば第１気温調整器１３１と第３気温調整器１３３と第５気温調整器１３５は第１収容室１１１内の気温と第３収容室１１３内の気温と第５収容室１１５内の気温を２０℃に調整し、第２気温調整器１３２と第４気温調整器１３４と第６気温調整器１３６は第２収容室１１２内の気温と第４収容室１１４内の気温と第６収容室１１６内の気温を２５℃に調整する、などの動作例が考えられる。
【００４６】
図８においては気温調整器を行方向（図８の上下方向）に隣接する収容室間で共有する例を示したが、照明器／循環水パイプ／潅水パイプについても同様に共有することができる。また図４〜図５で例示したように、行方向に隣接する収容室間でこれら設備を共有することもできる。
【００４７】
＜本発明の変形例について＞
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４８】
実施形態５において説明した壁部材は、例えば２つの断熱層の間に空気層を挟むようにして構成することができる。これにより断熱性能を向上させることができる。
第１照明器１２１と第２照明器１２２は、照明によって生じる熱を遮断する遮熱シートをその表面に備えることもできる。これにより各収容室の気温制御精度を向上させることができる。さらに照明方向を限定するため、遮光シートをその表面に張り付けることもできる。
【００４９】
収容室の行方向の個数と列方向の個数は特に限定されず、任意個数の収容室を行方向と列方向それぞれに配置することができる。ただし環境パラメータを調整する設備を収容室間で共有する観点からは、２×２以上の収容室を備えることが望ましい。
【符号の説明】
【００５０】
１００：人工気象機
１１１：第１収容室
１１２：第２収容室
１１３：第３収容室
１１４：第４収容室
１２１：第１照明器
１２２：第２照明器
１２３：第３照明器
１３１：第１気温調整器
１３２：第２気温調整器
１３３：第３気温調整器
１３４：第４気温調整器
１３５：第５気温調整器
１３６：第６気温調整器
１４１：第１循環水パイプ
１４２：第２循環水パイプ
１５１：第１潅水パイプ
１５２：第２潅水パイプ
１６１〜１６４：制御部
１７１〜１７４：カメラ
【図１】
2019004758.tif 000003
【図２】
2019004758.tif 000004
【図３】
2019004758.tif 000005
【図４】
2019004758.tif 000006
【図５】
2019004758.tif 000007
【図６】
2019004758.tif 000008
【図７】
2019004758.tif 000009
【図８】
2019004758.tif 000010